(57)【特許請求の範囲】
【請求項１】
物体側より像側へ順に、負の屈折力の第１レンズ群、正の屈折力の第２レンズ群、負の屈折力の第３レンズ群より構成され、広角端に比べて望遠端で、前記第１レンズ群と前記第２レンズ群の間隔が減少し、前記第２レンズ群と前記第３レンズ群の間隔が増大するようにズーミングを行うズームレンズであって、前記第１レンズ群は、最も物体側に正レンズを有し、前記第２レンズ群は、物体側より像側へ順に、正の屈折力の第２Ａレンズ群、開口絞り、正の屈折力の第２Ｂレンズ群より構成され、広角端における全系の焦点距離をｆｗ、前記第１レンズ群の焦点距離をｆ１、前記第２レンズ群の焦点距離をｆ２、前記第３レンズ群の焦点距離をｆ３、前記第２Ａレンズ群の焦点距離をｆ２Ａ、前記第２Ｂレンズ群の焦点距離をｆ２Ｂとするとき、
−１．２＜ｆ２／ｆ１＜−０．９
−０．２＜ｆｗ／ｆ３＜−０．０１
０．５＜ｆ２Ａ／ｆ２Ｂ＜１．１
なる条件を満足することを特徴とするズームレンズ。
【請求項２】
前記第２Ａレンズ群は、１つの正レンズで構成されることを特徴とする請求項１に記載のズームレンズ。
【請求項３】
前記第２Ｂレンズ群は、物体側から像側へ順に、正レンズ、負レンズ、正レンズで構成されることを特徴とする請求項１又は２に記載のズームレンズ。
【請求項４】
前記第２Ａレンズ群と前記第２Ｂレンズ群の間隔をＤ２ＡＢ、前記第２レンズ群の最も物体側のレンズ面頂点から前記第２レンズ群の最も像側のレンズ面頂点までの距離をＤ２とするとき、
０．０３＜Ｄ２ＡＢ／Ｄ２＜０．３
なる条件を満足することを特徴とする請求項１乃至３のいずれか１項に記載のズームレンズ。
【請求項５】
広角端におけるバックフォーカスをｂｆｗとするとき、
０．４５＜ｆｗ／ｂｆｗ＜０．９
なる条件を満足することを特徴とする請求項１乃至４のいずれか１項に記載のズームレンズ。
【請求項６】
広角端における前記第２レンズ群の近軸横倍率をβ２ｗ、望遠端における前記第２レンズ群の近軸横倍率をβ２ｔ、望遠端における全系の焦点距離をｆｔとするとき、
０．８＜（β２ｔ・ｆｗ）／（β２ｗ・ｆｔ）＜１．１
なる条件を満足することを特徴とする請求項１乃至５のいずれか１項に記載のズームレンズ。
【発明の詳細な説明】
【技術分野】
【０００１】
本発明はズームレンズに関し、例えば、カメラ用の撮影レンズに好適なものである。
【背景技術】
【０００２】
近年、レンズシャッター方式のデジタルスチルカメラやフォーカルプレーンシャッタ方式の一眼レフカメラの撮影レンズには、小型で高画質のズームレンズが要望されている。
【０００３】
ズームレンズの小型化を図る上では、複雑なズームタイプ（例えば、多群化など）を採用すると、レンズ系全体が大型化する傾向にある。このため、小型のズームレンズを実現するためには、できるだけ簡素なズームタイプが好ましい。
【０００４】
簡素で、かつ広角端におけるバックフォーカスを確保し易いズームタイプとして、物体側から順に、負、正の屈折力の２つのレンズ群で構成した２群ズームレンズが知られている。
【０００５】
しかし、２群ズームレンズは簡素な構成ではあるが、小型化と高性能化（高画質化）を同時に実現することは困難である。そのため、ズーム構成には工夫が必要である。
【０００６】
小型化と高性能化の両立のために、２群ズームレンズの像面側に更に負の屈折力のレンズ群を配置した、３群ズームレンズが知られている。（特許文献１〜４）
【特許文献１】特登録第２９８８０３１号公報
【特許文献２】特公昭６１−６１６５５号公報
【特許文献３】特開平６−２３０２８６号公報
【特許文献４】特開２００５−２９２３４８号公報
【発明の開示】
【発明が解決しようとする課題】
【０００７】
ところで、デジタル一眼レフカメラにおいては、従来の銀塩フィルム用一眼レフカメラとレンズマウントを共用しつつ、３５ｍｍフィルムに対して小さなサイズの固体撮像素子（ＡＰＳ−Ｃサイズなどと呼称される）を用いたものが製品化されている。このような小さなサイズの撮像素子を用いたデジタル一眼レフカメラにおいて銀塩フィルム用一眼レフカメラと同等の画角を実現しようとした場合、より短い焦点距離の撮影レンズが必要である。これは、レンズマウント共用の３５ｍｍフィルム用撮影レンズに比して、焦点距離比でより長いバックフォーカスが要求されることを意味する。
【０００８】
上述の特許文献１〜４に開示されたズームレンズは、いずれも３５ｍｍフルサイズを想定したものである。このため、レンズマウントを共用する小さなサイズの撮像素子を用いたデジタル一眼レフカメラへの適用を想定した場合、広角端の焦点距離に対してバックフォーカスが十分確保されておらず、同等の画角を実現するのが困難である。
【０００９】
本発明は、焦点距離に対して十分なバックフォーカスを確保した小型かつ高性能なズームレンズの提供を目的とする。
【課題を解決するための手段】
【００１０】
上記目的を達成するため、本発明のズームレンズは、レンズ群を適切な屈折力配置に設定すると共に、特に第２レンズ群内の構成と屈折力配置を適切に設定する。
【００１１】
具体的には、物体側より像側へ順に、負、正、負の屈折力の３つのレンズ群より構成され、広角端より望遠端へのズーミングに際し、第１レンズ群と第２レンズ群の間隔が減少し、第２レンズ群と第３レンズ群の間隔が増大するズームレンズであって、第１レンズ群は、最も物体側に正レンズを有し、第２レンズ群を、物体側より像側へ順に、正の屈折力の第２Ａレンズ群、開口絞り、正の屈折力の第２Ｂレンズ群で構成する。更に、広角端における全系の焦点距離をｆｗ、第１レンズ群、第２レンズ群、第３レンズ群の焦点距離を各々ｆ１，ｆ２，ｆ３、第２Ａレンズ群、第２Ｂレンズ群の焦点距離を各々ｆ２Ａ，ｆ２Ｂとするとき、
−１．２＜ｆ２／ｆ１＜−０．９
−０．２＜ｆｗ／ｆ３＜−０．０１
０．５＜ｆ２Ａ／ｆ２Ｂ＜１．１
なる条件を満足するよう設定する。
【発明の効果】
【００１２】
本発明によれば、焦点距離に対して十分なバックフォーカスを確保した小型かつ高性能なズームレンズが実現できる。
【発明を実施するための最良の形態】
【００１３】
以下、図面を用いて本発明のズームレンズの実施例の説明をする。
図１は実施例１のズームレンズの広角端におけるレンズ断面図である。図２（ａ），（ｂ）はそれぞれ、実施例１のズームレンズの広角端、望遠端における縦収差図である。
【００１４】
図３は実施例２のズームレンズの広角端におけるレンズ断面図である。図４（ａ），（ｂ）はそれぞれ、実施例２のズームレンズの広角端、望遠端における縦収差図である。
【００１５】
図５は実施例３のズームレンズの広角端におけるレンズ断面図である。図６（ａ），（ｂ）はそれぞれ、実施例３のズームレンズの広角端、望遠端における縦収差図である。
【００１６】
図７は実施例４のズームレンズの広角端におけるレンズ断面図である。図８（ａ），（ｂ）はそれぞれ、実施例４のズームレンズの広角端、望遠端における縦収差図である。
【００１７】
図９は実施例５のズームレンズの広角端におけるレンズ断面図である。図１０（ａ），（ｂ）はそれぞれ、実施例５のズームレンズの広角端、望遠端における縦収差図である。
【００１８】
実施例１〜５は、それぞれ後述する数値実施例１〜５に対応する。
図１，３，５，７，９に示したレンズ断面図において、Ｌ１は負の屈折力（光学的パワー＝焦点距離の逆数）の第１レンズ群、Ｌ２は正の屈折力の第２レンズ群、Ｌ３は負の屈折力の第３レンズ群である。２Ａ，２Ｂは各々、第２レンズ群Ｌ２を構成する正の屈折力の第２Ａレンズ群、正の屈折力の第２Ｂレンズ群である。各レンズ断面図における「Ｌ１（負）」等の（負）又は（正）は、そのレンズ群の屈折力の符号を表す。レンズ断面図において、左側が物体側（前方）、右側が像側（後方）であり、物体側から像側へ順に、第１レンズ群Ｌ１、第２レンズ群Ｌ２、第３レンズ群Ｌ３が配置されている。
【００１９】
ＳＰは開口絞り、ＦＰはフレアカット絞りである。ＩＰは像面である。本実施例のズームレンズをデジタル一眼レフカメラの撮影光学系として使用する場合、像面ＩＰは、ＣＣＤセンサやＣＭＯＳセンサ等の固体撮像素子（光電変換素子）の撮像面に相当する。銀塩フィルム用カメラの撮影光学系として使用する場合、像面ＩＰはフィルム面に相当する。
【００２０】
図２，４，６，８，１０に示した収差図では、各実施例のズームレンズの球面収差、非点収差、歪曲収差、倍率色収差を示している。球面収差を表す図において、縦軸はＦナンバー（Ｆｎｏ）である。実線ｄはｄ線、二点鎖線ｇはｇ線を表す。非点収差、歪曲、倍率色収差を表す図における縦軸は、像高（Ｙ）である。非点収差を表す図における破線ΔＭはｄ線のメリジオナル像面、実線ΔＳはサジタル像面を表す。歪曲はｄ線によって表し、倍率色収差はｄ線の結像位置を基準としてｇ線によって表わしている。
【００２１】
レンズ断面図における矢印は、広角端から望遠端へズーミングする際の各レンズ群の移動軌跡（ズーム位置に対して各レンズ群の位置をプロットしたもの）を示している。実施例１〜５のズームレンズは、ズーミングに際し、広角端に比べて望遠端での第１レンズ群Ｌ１と第２レンズ群Ｌ２との間隔が減少し、第２レンズ群Ｌ２と第３レンズ群Ｌ３との間隔が増大するように、第２レンズ群Ｌ２が物体側へ移動する。第１レンズ群Ｌ１は、主変倍群である第２レンズ群の移動に伴う像面位置の変動を補償するため、広角端から望遠端へのズーミングに際し、像側に凸の軌跡を描いて移動する。
【００２２】
なお、実施例１〜４の第３レンズ群Ｌ３は、ズーミングに際して移動しないのに対して、実施例５の第３レンズ群Ｌ３は、広角端から望遠端へのズーミングに際し、物体側に移動する。
【００２３】
また、実施例１，２のフレアカット絞りＦＰは、ズーミングに際して、第２レンズ群Ｌ２と一体的に移動する。一方、実施例３〜５のフレアカット絞りＦＰは、広角端から望遠端へのズーミングに際し、第２レンズ群Ｌ２との間隔を変えながら（第２レンズ群Ｌ２と独立して）、矢印に示すように物体側に移動する。
【００２４】
フォーカシングは、第１レンズ群を光軸に沿って移動させることで行う。
【００２５】
実施例１〜５のズームレンズは、最もバックフォーカス（レンズ最終面からガウス像面までの距離）が短くなる広角端において所望のバックフォーカスが確保できるように、像側主点ができるだけ像側に位置するような屈折力配置にしている。すなわち、レンズ系全体が広角端において、よりレトロフォーカスタイプとなるようにしている。
【００２６】
具体的には、広角端においては、負の屈折力の第１レンズ群Ｌ１に対して、合成屈折力が正となる第２レンズ群Ｌ２と第３レンズ群Ｌ３をできるだけ離して配置している。この際、第２レンズ群Ｌ２の像側に負の屈折力の第３レンズ群Ｌ３を設けることで、第２レンズ群Ｌ２の屈折力を適切に設定することが可能となる。この結果、ズーミングの際の第２レンズ群Ｌ２の移動量を適切にして、高い光学性能と小型化を両立している。
【００２７】
一方、望遠端においては、全系のレンズ全長を短くするために、像側主点ができるだけ物体側に位置するような屈折力配置にしている。すなわち、物体側から順に正、負の屈折力のレンズ配置とし、レンズ系全体がテレフォトタイプに近づけている。
【００２８】
具体的には、望遠端において、負の屈折力の第１レンズ群Ｌ１と正の屈折力の第２レンズ群Ｌ２を接近させて正の合成屈折力のレンズ群を形成し、第２レンズ群Ｌ２から像側に離れた位置に第３レンズ群Ｌ３を配置している。これにより、テレフォトタイプを形成して望遠端における光学全長の短縮を図っている。
【００２９】
また、第２レンズ群Ｌ２は、正の屈折力の第２Ａレンズ群Ｌ２Ａ、開口絞りＳＰ、正の屈折力の第２Ｂレンズ群Ｌ２Ｂで構成している。第２レンズ群Ｌ２は、広角端においては第３レンズ群Ｌ３に、望遠端においては第１レンズ群Ｌ１に接近する。このため、開口絞りＳＰを第２レンズ群Ｌ２の内部（第２Ａレンズ群Ｌ２Ａと第２Ｂレンズ群Ｌ２Ｂの間）に配置し、ズーミングに際して開口絞りＳＰが第１レンズ群Ｌ１や第３レンズ群Ｌ３と干渉しないようにしている。このような効率の良い開口絞りＳＰの空間配置は、小型化に大きく寄与している。
【００３０】
更に、広角端におけるバックフォーカスを確保しつつ、小型化を図るためには各レンズ群の屈折力配置を適切に設定する必要がある。特に第２レンズ群Ｌ２内の屈折力配置は広角端におけるバックフォーカスの確保が重要である。
【００３１】
そこで本発明のズームレンズは、
・物体側より像側へ順に、負、正、負の屈折力の３つのレンズ群Ｌ１〜Ｌ３より構成されていること、
・ズーミングに際し、広角端に比べて望遠端で、第１レンズ群Ｌ１と第２レンズ群Ｌ２の間隔が減少し、第２レンズ群Ｌ２と第３レンズ群Ｌ３の間隔が増大すること、
・第２レンズ群Ｌ２を、物体側より像側へ順に、正の屈折力の第２Ａレンズ群Ｌ２Ａ、開口絞りＳＰ、正の屈折力の第２Ｂレンズ群Ｌ２Ｂで構成すること、
を基本構成とし、更に、以下のような条件式を満足するように各レンズ群の屈折力配置を特定している。
−１．２＜ｆ２／ｆ１＜−０．９              ・・・（１）
−０．２＜ｆｗ／ｆ３＜−０．０１            ・・・（２）
０．５＜ｆ２Ａ／ｆ２Ｂ＜１．１              ・・・（３）
ここで、ｆｗは広角端における全系の焦点距離、ｆ１，ｆ２，ｆ３は、それぞれ第１〜第３レンズ群の焦点距離、ｆ２Ａ，ｆ２Ｂは、それぞれ第２Ａレンズ群、第２Ｂレンズ群の焦点距離である。
【００３２】
条件式（１）は、第１レンズ群Ｌ１と第２レンズ群Ｌ２の焦点距離の比に関し、屈折力配置を規定することで、広角端におけるバックフォーカス確保と小型化と高性能化のバランスを図るための条件である。
【００３３】
条件式（１）の下限値を超えて、第１レンズ群Ｌ１に比して第２レンズ群Ｌ２の屈折力が弱くなり過ぎると、広角端におけるバックフォーカスの確保が困難となる。また、ズーミングの際の第２レンズ群Ｌ２の移動量が増大するため、特に望遠端における光学全長が増大する。
【００３４】
一方、上限値を越えて、第１レンズ群Ｌ１に比して第２レンズ群Ｌ２の屈折力が強くなり過ぎると、特に第２レンズ群Ｌ２全体の球面収差補正が不足してズーム全域において球面収差がアンダーとなる。また、球面収差を補正するために第２レンズ群Ｌ２のレンズ枚数を増やすことで対応可能であるが、レンズ系の大型化、コスト増大を招くことになる。
【００３５】
なお、更に好ましくは、条件式（１）の下限値を−１．１とすることが望ましい。また、条件式（１）の上限値を−０．９５とすることが望ましい。
【００３６】
条件式（２）は、広角端における全系の焦点距離と第３レンズ群の焦点距離の比に関し、小型化と高性能化を図るためのものである。前述したように、負の屈折力の第３レンズ群Ｌ３は、高性能化と小型化に寄与している。前述の条件式（１）を満足しつつ、同時に条件式（２）を満足するように第３レンズ群Ｌ３の屈折力を適切に設定することにより、高性能化と小型化を両立できる。
【００３７】
条件式（２）の下限値を超えて第３レンズ群Ｌ３の屈折力が強くなり過ぎると、特に広角端において十分なバックフォーカス確保が困難となり、更に、ズーミングの際の像面変動が増大する。また、上限値を越えて第３レンズ群Ｌ３の屈折力が弱くなりすぎると、第２レンズ群Ｌ２、ひいては第１レンズ群Ｌ１の屈折力を適切に設定することが困難となる。この結果、レンズ系全体の屈折力配置のバランスが崩れ、レンズ系が大型化する。
【００３８】
なお、更に好ましくは、条件式（２）の下限値を−０．１１とすることが望ましい。また、条件式（２）の上限値を−０．０２とすることが望ましい。
【００３９】
条件式（３）は、第２Ａレンズ群Ｌ２Ａと第２Ｂレンズ群Ｌ２Ｂの焦点距離の比に関し、主に第２レンズ群Ｌ２を適切な屈折力配置にすることで広角端におけるバックフォーカスの確保、高性能化、小型化を両立させるためのものである。
【００４０】
条件式（３）の下限値を越えて、第２Ａレンズ群Ｌ２Ａの屈折力が第２Ｂレンズ群Ｌ２Ｂに対して強くなり過ぎると、第２レンズ群Ｌ２の像側主点がより物体側に位置することになる。この結果、第２レンズ群Ｌ２のバックフォーカスが短くなり、ひいては広角端における全系のバックフォーカス確保が困難となる。また、上限値を越えて第２Ａレンズ群Ｌ２Ａの屈折力が第２Ｂレンズ群Ｌ２Ｂに対して弱くなり過ぎると、第２Ｂレンズ群Ｌ２Ｂのレンズ径が増大し、かつ、特に望遠端における球面収差の補正が困難となる。
【００４１】
なお、更に好ましくは、条件式（３）の下限値を０．５４とすることが望ましい。また、上限値は０．９０とすることが望ましい。
【００４２】
以上のごとく構成することで本発明の当初の目的は実現可能である。以下にズームレンズに要求される様々な技術課題を解決する上で、更に好ましい条件について説明する。
【００４３】
まず第１に、第２Ａレンズ群Ｌ２Ａは、正の屈折力の単レンズ（正レンズ）のみで構成することが好ましい。第２レンズ群Ｌ２内の屈折力配置を適切に設定すれば、このように第２Ａレンズ群Ｌ２Ａを正レンズのみで構成することができ、小型化と低コスト化に寄与する。
【００４４】
第２に、第２Ｂレンズ群Ｌ２Ｂは、物体側から像側へ順に、正レンズ、負レンズ、正レンズで構成することが好ましい。このように、第２Ｂレンズ群Ｌ２Ｂをトリプレット構成とすることで、少ないレンズ枚数でありながら、特に球面収差が良好に補正できる。
【００４５】
第３に、第２Ａレンズ群Ｌ２Ａと第２Ｂレンズ群Ｌ２Ｂの間隔（軸上空気間隔）をＤ２ＡＢ、第２レンズ群Ｌ２の最も物体側のレンズ面頂点から第２レンズ群Ｌ２の最も像側のレンズ面頂点までの距離をＤ２とするとき、
０．０３＜  Ｄ２ＡＢ／Ｄ２  ＜０．３                  ・・・（４）
なる条件を満足することが好ましい。
【００４６】
条件式（４）は、第２Ａレンズ群Ｌ２Ａと第２Ｂレンズ群Ｌ２Ｂとの軸上空気間隔と、第２レンズ群Ｌ２の全長（軸上厚）の比に関し、特に開口絞りＳＰの配置を考慮しつつ、小型化を図るためのものである。
【００４７】
条件式（４）の下限値を超えて第２Ａレンズ群Ｌ２Ａと第２Ｂレンズ群Ｌ２Ｂが近づき過ぎると、開口絞りＳＰの開閉機構を配置することが困難となる。また、上限値を越えると、第２Ｂレンズ群Ｌ２Ｂのレンズ径が増大し、特に望遠端におけるレンズ全長も増大する。
【００４８】
なお、更に好ましくは、条件式（４）の下限値を０．０５とすることが望ましい。また、条件式（４）の上限値を０．１５とすることが望ましい。
【００４９】
第４に、広角端におけるバックフォーカスをｂｆｗとするとき、
０．４５＜  ｆｗ／ｂｆｗ  ＜０．９                    ・・・（５）
なる条件を満足することが好ましい。
【００５０】
条件式（５）は、広角端における焦点距離とバックフォーカスの比であり、十分なバックフォーカスの確保と小型化のバランスを図るためのものである。
【００５１】
条件式（５）の下限値を越えると、広角端におけるバックフォーカスが短くなり過ぎる。また、上限値を越えると広角端における光学全長が増大し、前玉径が大型化する。
【００５２】
第５に、第１レンズ群Ｌ１は、正レンズを最も物体側に有することが好ましい。
【００５３】
十分なバックフォーカスを確保すると光学全長が長くなり易く、前玉径が増大する傾向ある。特に広角端において軸外光束が光軸から離れた所を通過するので、負の屈折力の第１レンズ群Ｌ１で発生する負の歪曲収差の補正が困難となり易い。そこで、第１レンズ群Ｌ１の最も物体側に正レンズを配置することで、十分なバックフォーカスを確保しつつ歪曲収差を補正することができる。
【００５４】
第６に、広角端における第２レンズ群Ｌ２の近軸横倍率をβ２ｗ、望遠端における第２レンズ群Ｌ２の近軸横倍率をβ２ｔ、望遠端における全系の焦点距離をｆｔとするとき、
０．８＜  （β２ｔ・ｆｗ）／（β２ｗ・ｆｔ）  ＜１．１    ・・・（６）
なる条件を満足することが好ましい。
【００５５】
条件式（６）は、広角端、望遠端における第２レンズ群Ｌ２の近軸横倍率と広角端、望遠端の焦点距離の比であり、第２レンズ群Ｌ２の変倍分担を規定したものである。
【００５６】
条件式（６）の下限値を超えて第２レンズ群Ｌ２の変倍分担が減少し、第３レンズ群Ｌ３の変倍分担が増大し過ぎると、第３レンズ群Ｌ３のズーミングの際の移動量が増大し、機構が複雑になる。また、上限値を越えると第２レンズ群Ｌ２の変倍分担が増大し、ズーミングに伴う球面収差変動の補正が困難となる。
【００５７】
以上、本発明の好ましい実施例について説明したが、本発明はこれらの実施例に限定されないことはいうまでもなく、その要旨の範囲内で種々の変形及び変更が可能である。
【００５８】
以下に、実施例１〜５に各々対応する数値実施例１〜５を示す。各数値実施例において、ｉは、物体側からの面又は部材の順番を示している。Ｒｉは第ｉ番目の面（第ｉ面）の曲率半径（単位：ｍｍ）、Ｄｉは第ｉ面と第（ｉ＋１）面との間隔（単位：ｍｍ）である。Ｎｉはｉ番目の部材のｄ線に対する屈折率である。νｉは以下の式で表されるｄ線を基準としたｉ番目の部材のアッベ数である。
νｉ＝（Ｎｄ−１）／（ＮＦ−ＮＣ）
Ｎｄ：ｄ線（波長５８７．６ｎｍ）に対する屈折率
ＮＦ：Ｆ線（波長４８６．１ｎｍ）に対する屈折率
ＮＣ：Ｃ線（波長６５６．３ｎｍ）に対する屈折率
ｆは焦点距離（単位：ｍｍ）、ＦｎｏはＦナンバー、ωは半画角を表わす。前述の各条件式と数値実施例における諸数値との関係を表１に示す。
【００５９】
（数値実施例１）
ｆ＝ 18.60〜30.92〜49.00  Ｆｎｏ＝ 3.92〜4.71〜5.88  ２ω＝72.6〜47.7〜 31.1
R 1 =   95.000      D 1 =  3.40      N 1 = 1.516330      ν 1 = 64.1
R 2 = 1069.090      D 2 =  0.10
R 3 =   39.878      D 3 =  1.50      N 2 = 1.622992      ν 2 = 58.2
R 4 =   13.955      D 4 =  7.78
R 5 = -560.767      D 5 =  1.20      N 3 = 1.622992      ν 3 = 58.2
R 6 =   21.742      D 6 =  2.49
R 7 =   19.463      D 7 =  3.00      N 4 = 1.805181      ν 4 = 25.4
R 8 =   31.934      D 8 =  可変
R 9 =   36.679      D 9 =  2.30      N 5 = 1.517417      ν 5 = 52.4
R10 =  -45.492      D10 =  1.19
R11 =  開口絞り     D11 =  0.60
R12 =   17.763      D12 =  2.80      N 6 = 1.517417      ν 6 = 52.4
R13 =  -62.193      D13 =  0.41
R14 =  -30.185      D14 =  5.26      N 7 = 1.717362      ν 7 = 29.5
R15 =   17.203      D15 =  3.02
R16 =   44.174      D16 =  2.70      N 8 = 1.571351      ν 8 = 53.0
R17 =  -19.655      D17 =  可変
R18 =    ∞         D18 =  可変
R19 =  -28.420      D19 =  1.00      N 9 = 1.516330      ν 9 = 64.1
R20 =   34.814      D20 =  0.59
R21 =  119.021      D21 =  3.10      N10 = 1.516330      ν10 = 64.1
R22 =  -22.847      D22 =35.1
＼焦点距離   18.60    30.92    49.00
可変間隔＼
D 8            31.64    12.53      1.89
D17             0.00     0.00      0.00
D18          1.80   11.43    25.57
ズームレンズ群データ
群    始面    焦点距離
1    1      -27.39
2    9        26.41
3    19     -246.41
【００６０】
（数値実施例２）
ｆ＝ 18.60〜31.86〜51.32  Ｆｎｏ＝ 3.77〜4.62〜5.88  ２ω＝72.6〜46.4〜29.8
R 1 =  180.000      D 1 =  3.00      N 1 = 1.516330      ν 1 = 64.1
R 2 = -500.000      D 2 =  0.10
R 3 =   41.552      D 3 =  1.50      N 2 = 1.622992      ν 2 = 58.2
R 4 =   14.378      D 4 =  7.54
R 5 = 1027.760      D 5 =  1.20      N 3 = 1.603112      ν 3 = 60.6
R 6 =   21.235      D 6 =  2.26
R 7 =   19.209      D 7 =  3.00      N 4 = 1.805181      ν 4 = 25.4
R 8 =   31.407      D 8 =  可変
R 9 =   32.355      D 9 =  2.20      N 5 = 1.518229      ν 5 = 58.9
R10 =  -51.429      D10 =  0.69
R11 =    絞り       D11 =  0.60
R12 =   17.812      D12 =  2.80      N 6 = 1.517417      ν 6 = 52.4
R13 = -105.294      D13 =  0.41
R14 =  -36.897      D14 =  5.59      N 7 = 1.717362      ν 7 = 29.5
R15 =   16.832      D15 =  2.75
R16 =   41.934      D16 =  2.70      N 8 = 1.571351      ν 8 = 53.0
R17 =  -21.537      D17 =  可変
R18 =    ∞         D18 =  可変
R19 =  -25.966      D19 =  1.00      N 9 = 1.712995      ν 9 = 53.9
R20 =   46.725      D20 =  0.59
R21 =  126.642      D21 =  3.10      N10 = 1.712995      ν10 = 53.9
R22 =  -22.451      D22 =34.88
＼焦点距離    18.60    31.86    51.32
可変間隔＼
D 8            32.34    12.31      1.66
D17             0.00     0.00      0.00
D18             1.80    12.37     27.88
ズームレンズ群データ
群    始面    焦点距離
1    1      -28.53
2    9      26.70
3    19     -529.65
【００６１】
（数値実施例３）
ｆ＝ 18.60〜32.65〜53.28  Ｆｎｏ＝ 3.63〜4.55〜5.88  ２ω＝72.6〜45.4〜28.8
R 1 =   70.437      D 1 =  3.70      N 1 = 1.516330      ν 1 = 64.1
R 2 =  444.313      D 2 =  0.10
R 3 =   44.427      D 3 =  1.50      N 2 = 1.696797      ν 2 = 55.5
R 4 =   14.870      D 4 =  8.24
R 5 = -421.388      D 5 =  1.20      N 3 = 1.622992      ν 3 = 58.2
R 6 =   21.911      D 6 =  2.96
R 7 =   20.984      D 7 =  2.90      N 4 = 1.805181      ν 4 = 25.4
R 8 =   35.903      D 8 =  可変
R 9 =   38.649      D 9 =  2.30      N 5 = 1.517417      ν 5 = 52.4
R10 =  -55.775      D10 =  0.80
R11 =    絞り       D11 =  0.69
R12 =   20.793      D12 =  3.50      N 6 = 1.570989      ν 6 = 50.8
R13 =  -83.812      D13 =  0.42
R14 =  -33.915      D14 =  7.00      N 7 = 1.717362      ν 7 = 29.5
R15 =   18.467      D15 =  1.17
R16 =   37.923      D16 =  3.40      N 8 = 1.568832      ν 8 = 56.4
R17 =  -20.900      D17 =  可変
R18 =    ∞         D18 =  可変
R19 =  -29.484      D19 =  1.00      N 9 = 1.603112      ν 9 = 60.6
R20 =   46.223      D20 =  0.50
R21 =  168.825      D21 =  3.10      N10 = 1.622992      ν10 = 58.2
R22 =  -25.277      D22 =35.32
＼焦点距離    18.60    32.65    53.28
可変間隔＼
D 8            31.45    11.66      1.51
D17             0.00     6.50     16.04
D18             1.80     7.05     14.76
ズームレンズ群データ
群    始面    焦点距離
1    1      -26.75
2    9      26.75
3    19     -323.78
【００６２】
（数値実施例４）
ｆ＝ 19.60〜33.98〜55.08  Ｆｎｏ＝ 3.66〜4.53〜5.88  ２ω＝69.8〜43.8〜27.9
R 1 =   79.606      D 1 =  3.50      N 1 = 1.516330      ν 1 = 64.1
R 2 = 1027.285      D 2 =  0.10
R 3 =   49.550      D 3 =  1.50      N 2 = 1.696797      ν 2 = 55.5
R 4 =   14.954      D 4 =  7.07
R 5 =  210.970      D 5 =  1.20      N 3 = 1.622992      ν 3 = 58.2
R 6 =   23.077      D 6 =  3.04
R 7 =   20.183      D 7 =  3.40      N 4 = 1.805181      ν 4 = 25.4
R 8 =   30.868      D 8 =  可変
R 9 =   31.854      D 9 =  2.30      N 5 = 1.517417      ν 5 = 52.4
R10 =  -50.924      D10 =  1.19
R11 =    絞り       D11 =  0.60
R12 =   20.126      D12 =  2.90      N 6 = 1.517417      ν 6 = 52.4
R13 = -143.258      D13 =  0.50
R14 =  -36.670      D14 =  6.94      N 7 = 1.717362      ν 7 = 29.5
R15 =   17.763      D15 =  2.10
R16 =   35.315      D16 =  2.90      N 8 = 1.571351      ν 8 = 53.0
R17 =  -22.103      D17 =  可変
R18 =    ∞         D18 =  可変
R19 =  -25.048      D19 =  1.00      N 9 = 1.516330      ν 9 = 64.1
R20 =   37.975      D20 =  0.50
R21 =  122.123      D21 =  3.20      N10 = 1.516330      ν10 = 64.1
R22 =  -21.330      D22 =  36.00
＼焦点距離    19.60    33.98    55.08
可変間隔＼
D 8            33.04    12.29      1.45
D17             0.00     6.09     15.04
D18             1.80     7.00     14.64
ズームレンズ群データ
群    始面    焦点距離
1    1      -28.62
2    9      27.48
3    19     -281.72
【００６３】
（数値実施例５）
ｆ＝ 19.60〜34.72〜57.11  Ｆｎｏ＝ 3.59〜4.51〜5.88  ２ω＝69.8〜43.0〜26.9
R 1 =   59.605      D 1 =  4.00      N 1 = 1.487490      ν 1 = 70.2
R 2 =  286.120      D 2 =  0.10
R 3 =   47.898      D 3 =  1.50      N 2 = 1.696797      ν 2 = 55.5
R 4 =   15.199      D 4 =  7.37
R 5 =  293.913      D 5 =  1.20      N 3 = 1.622992      ν 3 = 58.2
R 6 =   22.827      D 6 =  3.04
R 7 =   20.502      D 7 =  3.30      N 4 = 1.805181      ν 4 = 25.4
R 8 =   32.048      D 8 =  可変
R 9 =   31.701      D 9 =  2.30      N 5 = 1.517417      ν 5 = 52.4
R10 =  -59.397      D10 =  1.19
R11 =    絞り       D11 =  0.70
R12 =   20.369      D12 =  2.90      N 6 = 1.517417      ν 6 = 52.4
R13 = -104.067      D13 =  0.50
R14 =  -37.823      D14 =  7.39      N 7 = 1.717362      ν 7 = 29.5
R15 =   17.809      D15 =  2.18
R16 =   37.104      D16 =  2.90      N 8 = 1.571351      ν 8 = 53.0
R17 =  -22.940      D17 =  可変
R18 =    ∞         D18 =  可変
R19 =  -28.827      D19 =  1.00      N 9 = 1.516330      ν 9 = 64.1
R20 =   44.985      D20 =  0.50
R21 =  122.123      D21 =  3.20      N10 = 1.516330      ν10 = 64.1
R22 =  -24.409      D22 =  34.99
＼焦点距離    19.60    34.72    57.11
可変間隔＼
D 8            33.90    12.32      1.35
D17             0.00     6.95     17.15
D18             1.80     5.65     11.29
ズームレンズ群データ
群    始面    焦点距離
1    1      -29.67
2    9      28.33
3    19     -426.42
【００６４】
【表１】
0005072549.tif 000002
【００６５】
次に本発明のズームレンズを撮像装置に適用した実施例を図１１を用いて説明する。
【００６６】
図１１は一眼レフカメラの要部概略図である。図１１において、１０は実施例１〜５いずれかのズームレンズ１を有する撮影レンズである。ズームレンズ１は保持部材である鏡筒２に保持されている。２０はカメラ本体である。３は撮影レンズ１０からの光束を上方に反射するクイックリターンミラーである。４は撮影レンズ１０の像形成位置に配置された焦点板である。５は焦点板４に形成された逆像を正立像に変換するペンタダハプリズムである。６は、その正立像を観察するための接眼レンズ６である。カメラ本体２０は、これらクイックリターンミラー３、焦点板４、ペンタダハプリズム５、接眼レンズ６等によって構成されている。７は感光面であり、ＣＣＤセンサやＣＭＯＳセンサ等の固体撮像素子（光電変換素子）や銀塩フィルムが配置される。撮影時にはクイックリターンミラー３が光路から退避して、感光面７上に撮影レンズ１０によって像が形成される。
【００６７】
このように本発明のズームレンズを一眼レフカメラ用の交換レンズ等に適用することにより、高い光学性能を有した撮像装置が実現できる。
【００６８】
なお、本発明のズームレンズは、クイックリターンミラーのない一眼レフカメラにも同様に適用することができる。
【図面の簡単な説明】
【００６９】
【図１】実施例１のズームレンズのレンズ断面図である。
【図２】実施例１のズームレンズの収差図である。
【図３】実施例２のズームレンズのレンズ断面図である。
【図４】実施例２のズームレンズの収差図である。
【図５】実施例３のズームレンズのレンズ断面図である。
【図６】実施例３のズームレンズの収差図である。
【図７】実施例４のズームレンズのレンズ断面図である。
【図８】実施例４のズームレンズの収差図である。
【図９】実施例５のズームレンズのレンズ断面図である。
【図１０】実施例５のズームレンズの収差図である。
【図１１】一眼レフカメラの要部概略図である。
【符号の説明】
【００７０】
Ｌ１  第１レンズ群
Ｌ２  第２レンズ群
Ｌ３  第３レンズ群
ＳＰ  開口絞り
ＦＰ  フレアカット絞り
ＩＰ  像面
【図１】
0005072549.tif 000003
【図２】
0005072549.tif 000004
【図３】
0005072549.tif 000005
【図４】
0005072549.tif 000006
【図５】
0005072549.tif 000007
【図６】
0005072549.tif 000008
【図８】
0005072549.tif 000009
【図９】
0005072549.tif 000010
【図１０】
0005072549.tif 000011
【図１１】
0005072549.tif 000012
【図７】
0005072549.tif 000013